(57)【要約】【課題】浴室と浴室以外の複数のエリアから換気する機能を有する浴室換気装置において操作性を損なうことなく、待機電力を削減することを目的とする。【解決手段】浴室と浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記複数のエリアから浴室換気装置の換気運転操作を行う換気スイッチとこの換気スイッチの信号を受ける換気スイッチ入力部を制御装置と接続する形で設けた構成にしたことにより、始動スイッチ８および換気スイッチ９Ａ、９Ｂの操作により浴室換気装置４Ｃへの通電を可能とし、停止時の待機電力を低減した浴室換気装置が得られる。【選択図】図１
2011089655.tif 000002
【特許請求の範囲】
【請求項１】
浴室と浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記複数のエリアから浴室換気装置の換気運転操作を行う換気スイッチとこの換気スイッチの信号を受ける換気スイッチ入力部を制御装置と接続する形で設けたことを特徴とする浴室換気装置。
【請求項２】
浴室以外の複数のエリアに設けた換気スイッチと始動スイッチは、浴室換気装置に入力される商用電源に対して並列に接続され商用電源を開閉可能としたことを特徴とする請求項１記載の浴室換気乾燥機。
【請求項３】
浴室以外の複数のエリアに設けた換気スイッチにより商用電源が通電されると浴室換気装置の換気運転を行うことを特徴とする請求項１記載の浴室換気乾燥機。
【請求項４】
浴室および浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、この換気スイッチからの入力信号を受ける換気スイッチ入力部を浴室換気装置内に備えたことを特徴とする浴室換気装置。
【請求項５】
運転の開始は、始動スイッチ操作による電源供給によって可能となり、複数の換気スイッチのうち少なくとも一つの運転開始操作によって行われる請求項４記載の浴室換気装置。
【請求項６】
運転の停止は、複数の換気スイッチのうちすべての換気スイッチの停止操作によって行われる請求項４記載の浴室換気装置。
【請求項７】
浴室および浴室以外の複数のエリアから換気する機能を有する浴室換気装置と、この浴室換気装置に寸動にて商用電源を供給する始動スイッチと、前記浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、前記換気スイッチの信号を受けて前記浴室換気装置の運転操作を行う操作装置と、前記浴室換気装置に設けて前記操作装置と通信を行う通信部を備え、前記操作装置は電池で駆動され、前記通信部と通信を行うとともに始動スイッチに信号を送ることを特徴とする浴室換気装置。
【請求項８】
操作装置を動作させる電池は２次電池とし、浴室換気装置の制御部との通信時に２次電池に充電を行う充電装置を設けたことを特徴とする請求項７記載の浴室換気装置。
【請求項９】
操作装置は、始動スイッチの駆動部と、換気スイッチの入力により運転開始と停止を交互に切り替える状態設定手段と、この換気スイッチの操作状態から前記始動スイッチの動作および浴室換気装置の運転開始および停止を検出する検出部とを備え、前記始動スイッチの駆動部および通信部に信号を送る請求項７記載の浴室換気装置。
【請求項１０】
検出部は、状態設定手段の状態から複数の換気スイッチの少なくとも一つから運転開始の信号が送られてきた場合に始動スイッチの駆動部に信号を送り始動スイッチを寸動させるとともに、運転開始の信号を通信部へ送信することを特徴とする請求項９記載の浴室換気装置。
【請求項１１】
検出部は、状態設定手段の状態から複数の換気スイッチのすべてから運転停止の信号が送られてきた場合に、運転停止の信号を通信部へ送信することを特徴とする請求項９記載の浴室換気装置。
【請求項１２】
２次電池と浴室換気装置の制御部との通信時に２次電池に充電を行う充電装置と、無線通信手段を設けた操作装置と、浴室以外の複数のエリアに設け、内蔵した駆動用電池を電源として前記操作装置と無線通信を行う無線通信送信手段を備えた換気運転操作装置と、前記操作装置から浴室換気装置に入力される商用電源を寸動にて商用電源を供給する始動スイッチと、商用電源通電後に浴室換気乾燥機内の制御部により制御され、商用電源を開閉する開閉装置を備えたことを特徴とする浴室換気装置。
【発明の詳細な説明】
【技術分野】
【０００１】
本発明は、浴室と浴室以外の複数のエリアからの換気機能を有する浴室換気乾燥機の待機電力低減制御に関するものである。
【背景技術】
【０００２】
従来この種の浴室換気乾燥機は、浴室以外のエリアからのスイッチ入力を監視するために停止時であっても常時電源を供給されているものが知られている（例えば、特許文献１参照）。
【０００３】
以下、その浴室換気乾燥機について図７を参照しながら説明する。
【０００４】
図７に示すように、浴室換気乾燥機１０１は浴室１０２に設置され、トイレ１０３、脱衣室１０４および居室１０５を換気する。また、トイレ１０３にはトイレスイッチ１０６が備えられ、このトイレスイッチ１０６の入力は浴室換気乾燥機１０１によって常時監視する必要があるため、浴室換気乾燥機１０１には商用電源が常時通電されることで、トイレ１０３使用時には換気運転を開始あるいは、換気風量を通常より増加している。
【先行技術文献】
【特許文献】
【０００５】
【特許文献１】特許第４３１１０３６号公報
【発明の概要】
【発明が解決しようとする課題】
【０００６】
このような従来の浴室換気乾燥機においては、浴室以外のトイレに設けたトイレスイッチの入力を監視するために常時浴室換気乾燥機に電源が通電されていることにより、浴室換気乾燥機が停止状態であっても電力を消費しているという課題を有していた。
【０００７】
そこで本発明は、上記従来の課題を解決するものであり、浴室換気乾燥機が停止状態である場合には、浴室換気乾燥機に供給される電源を遮断し、電力を消費しない浴室換気乾燥機を提供することを目的とする。
【課題を解決するための手段】
【０００８】
そして、この目的を達成するために、本発明は、浴室と浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記複数のエリアから浴室換気装置の換気運転操作を行う換気スイッチとこの換気スイッチの信号を受ける換気スイッチ入力部を制御装置と接続する形で設けたことを特徴とするものであり、これにより所期の目的を達成するものである。
【０００９】
また、本発明は、浴室および浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、この換気スイッチからの入力信号を受ける換気スイッチ入力部を浴室換気装置内に備えたことを特徴とした。
【００１０】
また、本発明は、浴室および浴室以外の複数のエリアから換気する機能を有する浴室換気装置と、この浴室換気装置に寸動にて商用電源を供給する始動スイッチと、前記浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、前記換気スイッチの信号を受けて前記浴室換気装置の運転操作を行う操作装置と、前記浴室換気装置に設けて前記操作装置と通信を行う通信部を備え、前記操作装置は電池で駆動され、前記通信部と通信を行うとともに始動スイッチに信号を送ることを特徴とした。
【００１１】
また、本発明は、２次電池と浴室換気装置の制御部との通信時に２次電池に充電を行う充電装置と、無線通信手段を設けた操作装置と、浴室以外の複数のエリアに設け、内蔵した駆動用電池を電源として前記操作装置と無線通信を行う無線通信送信手段を備えた換気運転操作装置と、前記操作装置から浴室換気装置に入力される商用電源を寸動にて商用電源を供給する始動スイッチと、商用電源通電後に浴室換気乾燥機内の制御部により制御され、商用電源を開閉する開閉装置を備えたことを特徴とした。
【発明の効果】
【００１２】
本発明によれば、浴室と浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記複数のエリアから浴室換気装置の換気運転操作を行う換気スイッチとこの換気スイッチの信号を受ける換気スイッチ入力部を制御装置と接続する形で設けたことにより、始動スイッチおよび、換気スイッチのいずれかの操作により浴室換気装置に供給される商用電源を遮断できるので、浴室換気装置が停止状態である場合の電力の消費を低減できるという効果を得ることができる。
【００１３】
また、本発明によれば、浴室および浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、この換気スイッチからの入力信号を受ける換気スイッチ入力部を浴室換気装置内に備えたことにより、待機電力低減状態である、浴室換気装置が停止状態であっても、始動スイッチおよび換気スイッチ操作により浴室換気乾燥機の電源供給と換気運転を行えるとう効果が得られる。
【００１４】
また、本発明によれば、浴室および浴室以外の複数のエリアから換気する機能を有する浴室換気装置と、この浴室換気装置に寸動にて商用電源を供給する始動スイッチと、前記浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、前記換気スイッチの信号を受けて前記浴室換気装置の運転操作を行う操作装置と、前記浴室換気装置に設けて前記操作装置と通信を行う通信部を備え、前記操作装置は電池で駆動され、前記通信部と通信を行うとともに始動スイッチに信号を送ることにより、浴室換気装置が停止状態であっても、操作装置によって浴室換気装置の電源供給と換気運転を行えるとう効果が得られる。
【００１５】
また、本発明によれば、２次電池と浴室換気装置の制御部との通信時に２次電池に充電を行う充電装置と、無線通信手段を設けた操作装置と、浴室以外の複数のエリアに設け、内蔵した駆動用電池を電源として前記操作装置と無線通信を行う無線通信送信手段を備えた換気運転操作装置と、前記操作装置から浴室換気装置に入力される商用電源を寸動にて商用電源を供給する始動スイッチと、商用電源通電後に浴室換気乾燥機内の制御部により制御され、商用電源を開閉する開閉装置を備えたことにより、操作装置の施工が簡単にでき、待機電力低減状態である、浴室換気装置が停止状態であっても、浴室以外の複数のエリアからの換気運転操作手段の操作により浴室換気装置の電源供給と換気運転を行えるとう効果が得られる。
【図面の簡単な説明】
【００１６】
【図１】本発明の実施の形態１の構成を示す構成図
【図２】同本発明の実施の形態１の接続構成を示す接続図
【図３】本発明の実施の形態２の構成を示す構成図
【図４】同本発明の実施の形態２の接続構成を示す接続図
【図５】本発明の実施の形態３の構成を示す構成図
【図６】同本発明の実施の形態３の接続構成を示す接続図
【図７】本発明の実施の形態４の構成を示す構成図
【図８】同本発明の実施の形態４の接続構成を示す接続図
【図９】従来の浴室換気乾燥機の構成を示す構成図
【発明を実施するための形態】
【００１７】
本発明の請求項１記載の浴室換気装置は、浴室と浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記複数のエリアから浴室換気装置の換気運転操作を行う換気スイッチとこの換気スイッチの信号を受ける換気スイッチ入力部を制御装置と接続する形で設けた構成を有する。これにより、浴室換気装置が停止状態である場合に浴室換気装置に入力される商用電源を遮断することとなるので停止状態である場合の消費電力を低減できるという効果を奏する。
【００１８】
また、浴室以外の複数のエリアに設けた換気スイッチと始動スイッチは、浴室換気装置に入力される商用電源に対して並列に接続され商用電源を開閉可能とした構成を有する。これにより、浴室換気装置の商用電源の通電を換気スイッチと始動スイッチのどちらからでも行え、換気スイッチ入力部に入力される換気スイッチの状態により換気運転を行えるという効果を奏する。
【００１９】
また、浴室以外の複数のエリアに設けた換気スイッチにより商用電源が通電されると浴室換気装置の換気運転を行う構成を有する。これにより、浴室換気装置の商用電源の通電開始と同時に換気運転を行えるという効果を奏する。
【００２０】
また、浴室および浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、この換気スイッチからの入力信号を受ける換気スイッチ入力部を浴室換気装置内に備えた構成を有する。これにより、待機電力低減状態である、浴室換気装置が停止状態であっても、始動スイッチにより通電が開始でき、換気スイッチ操作により換気運転を行えるという効果を奏する。
【００２１】
また、運転の開始は、始動スイッチ操作による電源供給によって可能となり、複数の換気スイッチのうち少なくとも一つの運転開始操作によって行われる構成を有する。これにより、始動スイッチにより通電が開始でき、換気スイッチ操作により換気運転を行え、換気スイッチの入力を常時監視するために浴室換気装置に常時商用電源を通電しなくても使用する場合のみに浴室換気装置に通電を行えるとう効果を奏する。
【００２２】
また、運転の停止は、複数の換気スイッチのうちすべての換気スイッチの停止操作によって行われる構成を有する。これにより、すべての換気スイッチの停止操作が行われるまで換気運転を継続できるという効果を奏する。
【００２３】
また、浴室および浴室以外の複数のエリアから換気する機能を有する浴室換気装置と、この浴室換気装置に寸動にて商用電源を供給する始動スイッチと、前記浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、前記換気スイッチの信号を受けて前記浴室換気装置の運転操作を行う操作装置と、前記浴室換気装置に設けて前記操作装置と通信を行う通信部を備え、前記操作装置は電池で駆動され、前記通信部と通信を行うとともに始動スイッチに信号を送る構成を有する。これにより、操作装置の動作を停止させることなく浴室換気装置が停止状態である場合に浴室換気装置に入力される商用電源を遮断することとなるので停止状態である場合の消費電力を低減できるという効果を奏する。
【００２４】
また、操作装置を動作させる電池は２次電池とし、浴室換気装置の制御装置との通信時に２次電池に充電を行う充電装置を設けた構成を有する。これにより、２次電池が放電し、操作装置が動作不能となることを防止できるという効果を奏する。
【００２５】
また、操作装置は、始動スイッチの駆動部と、換気スイッチの入力により運転開始と停止を交互に切り替える状態設定手段と、この換気スイッチの操作状態から前記始動スイッチの動作および浴室換気装置の運転開始および停止を検出する検出部とを備え、前記始動スイッチの駆動部および通信部に信号を送る構成を有する。これにより、操作装置を使用して換気スイッチの状態監視と、浴室換気装置の運転操作を行えるという効果を奏する。
【００２６】
また、検出部は、状態設定手段の状態から複数の換気スイッチの少なくとも一つから運転開始の信号が送られてきた場合に始動スイッチの駆動部に信号を送り始動スイッチを寸動させるとともに、運転開始の信号を通信部へ送信する構成を有する。これにより、操作装置と浴室換気装置の通信を利用して換気運転を行えるという効果を奏する。
【００２７】
また、検出部は、状態設定手段の状態から複数の換気スイッチのすべてから運転停止の信号が送られてきた場合に、運転停止の信号を通信部へ送信する構成を有する。これにより、すべての換気スイッチの停止操作が行われるまで換気運転を継続できるという効果を奏する。
【００２８】
また、２次電池と浴室換気装置の制御部との通信時に２次電池に充電を行う充電装置と、無線通信手段を設けた操作装置と、浴室以外の複数のエリアに設け、内蔵した駆動用電池を電源として前記操作装置と無線通信を行う無線通信送信手段を備えた換気運転操作装置と、前記操作装置から浴室換気装置に入力される商用電源を寸動にて商用電源を供給する始動スイッチと、商用電源通電後に浴室換気乾燥機内の制御部により制御され、商用電源を開閉する開閉装置を備えた構成を有する。これにより、換気運転操作手段と操作装置との電気的な接続が不要となり、容易に施工ができるという効果を奏する。
【００２９】
以下、本発明の実施の形態について図面を参照しながら説明する。
【００３０】
（実施の形態１）
図１および図２に示すように、エリア１およびエリア２の換気と浴室３の換気を行う浴室換気装置４Ａが浴室３に設置されている。また、浴室換気装置４Ａ内には浴室換気装置４Ａの動作を制御する制御装置５Ａを備え、この制御装置５Ａに供給される商用電源６を制御装置５Ａの指令により開閉可能なリレー等を使用した開閉装置７を介して接続されている。そして、この開閉装置７は、浴室３使用時に操作する寸動で動作する始動スイッチ８とエリア１およびエリア２使用時操作する換気スイッチ９Ａおよび換気スイッチ９Ｂが開閉装置７と並列に接続され、換気スイッチ９Ａ、９Ｂは、換気スイッチ入力部１０Ａを介して制御装置５Ａと接続され、それぞれの換気スイッチ９Ａ、８Ｂの開閉状態を制御装置５Ａへ信号として送信される。
【００３１】
そして、浴室換気装置４Ａを停止状態から運転状態にする場合には、始動スイッチ８により制御装置５Ａに商用電源６が通電され、制御装置５Ａが動作を開始すると制御装置５Ａより開閉装置７に信号を出力し、開閉装置７を閉とすることにより始動スイッチ８が閉となっても開閉装置７を介して商用電源６の通電が制御装置５Ａより継続して行える。また、停止状態からエリア１の換気が必要な場合には、換気スイッチ９Ａを操作すると始動スイッチ８を操作した場合と同様に制御装置５Ａに商用電源６が通電され制御装置５Ａが動作を開始すると同時に制御装置５Ａより開閉装置７に信号を出力し開閉装置７を閉とし、始動スイッチ８が開であっても浴室換気装置４Ａを運転状態にすることが可能となり、同時に換気スイッチ９Ａから換気スイッチ入力部１０Ａに商用電源６の電圧が印加され、換気スイッチ入力部１０Ａから制御装置５Ａに換気スイッチ９Ａが閉になったことを送信することにより換気運転を開始することとなる。そして換気スイッチ９Ａが開とり、換気スイッチ入力部１０Ａに電圧が印加されなくなると換気スイッチ入力部１０Ａから制御装置５Ａが換気スイッチ９Ａが開となったことを送信し、制御装置５Ａはエリア１の換気を停止させるとともに浴室換気装置４Ａの運転が停止してから、一定時間経過後、開閉装置７を開とする信号を出力し、開閉装置７により商用電源６の通電を遮断する。
【００３２】
また、換気スイッチ９Ｂが操作され閉となっても同様な動作を行うこととなるが、換気スイッチ９Ａと換気スイッチ９Ｂが共に閉となっている場合は、その後換気スイッチ９Ａ、９Ｂのいずれかが開となっても換気スイッチ入力部１０Ａに商用電源６の電圧が印加されているため、換気運転を継続し、換気スイッチ９Ａ、９Ｂの全てが開となると換気スイッチ入力部１０Ａに電圧が印加されなくなるため、制御装置５Ａは浴室換気装置４Ａの運転が停止してから、一定時間経過後、開閉装置７を開とする信号を出力し、開閉装置７により商用電源６の通電を遮断する。
【００３３】
このような構成によれば、浴室と浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記複数のエリアから浴室換気装置の換気運転操作を行う換気スイッチとこの換気スイッチの信号を受ける換気スイッチ入力部を制御装置と接続する形で設けたことにより、始動スイッチおよび、換気スイッチの操作により浴室換気装置に供給される商用電源を遮断できるので、浴室換気装置が停止状態である場合の電力の消費を低減できる。
【００３４】
なお、実施の形態において開閉装置７はリレーを使用したが、トライアックやサイリスタを使用した半導体スイッチとしても良い。
【００３５】
また、浴室換気装置４Ａの運転が停止してから一定時間経過後に開閉装置７を開としたが、制御装置５Ａやモーターを保護する必要がなければ停止後すぐに開閉装置７を開としても良い。
【００３６】
また、換気スイッチ９Ａ、９Ｂが閉となった場合に換気スイッチ入力部１０Ａに商用電源６の電圧を入力したが、換気スイッチ９Ａ、９Ｂ内で低圧レベル電圧や、低圧パルス電圧に変換して換気スイッチ入力部１０Ａに入力しても良い。
【００３７】
（実施の形態２）
図３および図４に示すように、エリア１およびエリア２の換気と浴室３の換気を行う浴室換気装置４Ｂ本体が浴室３に設置されている。また、浴室換気装置４Ｂ内には浴室換気装置４Ｂの動作を制御する制御装置５Ｂを備え、この制御装置５Ｂに供給される商用電源６を制御装置５Ｂの指令により開閉可能なリレー等を使用した開閉装置７を介して接続されている。そして、この開閉装置７は、浴室３使用時に寸動で動作する始動スイッチ８と並列に接続され、換気スイッチ９Ｃ、９Ｄは、商用電源６と制御装置５Ｂに設けた換気スイッチ入力部１０Ｂに接続されている。そして、浴室換気装置４Ｂを停止状態から運転状態にする場合には、始動スイッチ８により制御装置５Ｂに商用電源６が通電され、制御装置５Ｂが動作を開始すると制御装置５Ｂより開閉装置７に信号を出力し、開閉装置７を閉とすることにより始動スイッチ８が開となっても開閉装置７を介して商用電源６の通電が制御装置５Ｂより継続して行える。この状態で、エリア１の換気が必要な場合には、換気スイッチ９Ｃを操作し、閉となると換気スイッチ入力部１０Ｂに換気スイッチ９Ｃを介して商用電源６の電圧が印加され制御装置５Ｂにより換気運転を開始することとなる。そして換気スイッチ９Ｃが開となると、換気スイッチ入力部１０Ｂに印加されていた商用電源６の電圧印加が遮断され、エリア１の換気を停止させるとともに浴室換気装置４Ｂの運転が停止してから、一定時間経過後、開閉装置７を開とする信号を出力し、開閉装置７により商用電源６の通電を遮断する。
【００３８】
また、換気スイッチ９Ｄが操作され閉となっても同様な動作を行うこととなるが、換気スイッチ９Ｃと換気スイッチ９Ｄが共に閉となっている場合は、換気スイッチ９Ｃ、９Ｄのいずれかが開となっても換気運転を継続し、換気スイッチ９Ｃ、９Ｄの全てが開となると制御装置５Ｂは浴室換気装置４Ｂの運転が停止してから、一定時間経過後、開閉装置７を開とする信号を出力し、開閉装置７により商用電源６の通電を遮断する。このような構成によれば、浴室および浴室以外の複数のエリアから換気する機能を有する浴室換気装置と、この浴室換気装置に寸動にて商用電源を供給する始動スイッチと、浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、この換気スイッチからの入力信号を受ける換気スイッチ入力部を浴室換気装置内に備えたことにより、待機電力低減状態である、浴室換気装置が停止状態であっても、始動スイッチにより通電が開始でき、換気スイッチ操作により換気運転を行える。
【００３９】
なお、実施の形態において開閉装置７は実施の形態１同様に、リレーを使用ものやトライアックやサイリスタを使用した半導体スイッチがある。
【００４０】
また、浴室換気装置４Ｂの運転が停止してから一定時間経過後に開閉装置７を開としたが、制御装置５Ｂやモーターを保護する必要がなければ停止後すぐに開閉装置７を開としても良い。
【００４１】
また、換気スイッチ９Ｃ、９Ｄが閉となった場合に換気スイッチ入力部１０Ｂに商用電源６の電圧を入力したが、換気スイッチ９Ｃ、９Ｄ内で低圧レベル電圧や、低圧パルス電圧に変換して換気スイッチ入力部１０Ｂに入力しても良い。
【００４２】
（実施の形態３）
図５および図６に示すように、エリア１およびエリア２の換気と浴室３の換気を行う浴室換気装置４Ｃが浴室３に設置されている。また、エリア１およびエリア２には浴室換気装置４Ｃの換気運転を行うための換気スイッチ９Ｅと換気スイッチ９Ｆが設けられている。そして、浴室換気装置４Ｃの運転を行う操作装置１１Ａが浴室３に備えられている。この操作装置１１Ａは、浴室換気装置４Ｃの制御装置５Ｃと接続され、制御装置５Ｃに備えた通信部１２と通信することで操作装置１１Ａから浴室換気装置４Ｃの運転を行うことになる。また、操作装置１１Ａには電池１３と制御装置５Ｃとの通信時に電池１３に充電を行う充電装置１４が備えられ、電池１３により操作装置１１Ａが動作することになる。また、換気スイッチ９Ｅ、９Ｆは操作装置１１Ａの状態設定手段１５に接続され、換気スイッチ９Ｅ、９Ｄの操作状態の信号が入力され、この信号が検出部１６により検出されると浴室換気装置４Ｃの制御装置５Ｃに通信部１２を介して送信され、浴室換気装置４Ｃに商用電源６を寸動する始動スイッチ１７を駆動させる駆動部１８に信号を送信する。また、制御装置５Ｃからの信号により商用電源６を寸動する開閉装置７に接続されている。そして、操作装置１１Ａが、換気スイッチ９Ｅ，９Ｆの状態設定手段１５により換気動作信号を受ける、または、操作装置１１Ａの運転操作によって検出部１６により検出されると、操作装置１１Ａから始動スイッチ１７を閉とする信号を出力し、商用電源６を制御装置５Ｃに通電することで制御装置５Ｃが動作を開始すると同時に制御装置５Ｃは開閉装置７を閉とし、始動スイッチ１７が開となっても商用電源６の通電を継続することになる。また、操作装置１１Ａから制御装置５Ｃの通信部１２には通信によって操作装置１１Ａからの運転信号が送信され、浴室換気装置４Ｃは制御装置５Ｃにより運転を開始することになる。
【００４３】
また、操作装置１１Ａは、浴室換気装置４Ｃ停止時の動作用電源として利用できるように、制御装置５Ｃの通信部１２との通信による電力を利用して操作装置１１Ａは充電装置１４を介して電池１３に充電を行う。
【００４４】
そして、操作装置１１Ａからの運転停止信号または、換気スイッチ９Ｅ、９Ｆの停止信号を操作装置の状態設定手段１５が受信し、検出部１６に入力され、全てが運転停止信号になると、操作装置１１Ａは始動スイッチ１７を開とする信号を駆動部１８に出力すると同時に、制御装置５Ｃの通信部１２に停止信号を送信し、浴室換気装置４Ｃを停止させる。そして、制御装置５Ｃは浴室換気装置４Ｃの運転が停止してから、一定時間経過後、開閉装置７を開とする信号を出力し、開閉装置７により商用電源６の通電を遮断する。
【００４５】
このような構成によれば、浴室および浴室以外の複数のエリアから換気する機能を有する浴室換気装置と、この浴室換気装置に寸動にて商用電源を供給する始動スイッチと、前記浴室換気装置内に設けた制御部により商用電源の開閉制御を行う開閉装置と、前記浴室および複数のエリアの少なくとも一箇所に設けて浴室換気装置の運転開始および停止操作を行う換気スイッチと、前記換気スイッチの信号を受けて前記浴室換気装置の運転操作を行う操作装置と、前記浴室換気装置に設けて前記操作装置と通信を行う通信部を備え、前記操作装置は電池で駆動され、前記通信部と通信を行うとともに始動スイッチに信号を送るようにしたことにより、操作装置は電池にて常に動作し、操作装置から浴室換気装置に供給される商用電源を遮断できるので、浴室換気装置が停止状態である場合の電力の消費を低減することができる。
【００４６】
なお、実施の形態において開閉装置７は実施の形態１同様に、リレーを使用ものやトライアックやサイリスタを使用した半導体スイッチがある。
【００４７】
また、始動スイッチ１７は開閉装置７同様に、リレーを使用ものやトライアックやサイリスタを使用した半導体スイッチがある。
【００４８】
また、浴室換気装置４Ｃの運転が停止してから一定時間経過後に開閉装置７を開としたが、制御装置５Ｃやモーターを保護する必要がなければ停止後すぐに開閉装置７を開としても良い。
【００４９】
また、換気スイッチ９Ｅ、９Ｆが開閉時に状態設定手段１５に送信する信号は、レベル信号やパルス信号のいずれでも良い。
【００５０】
また、電池１３は充電可能な２次電池があるが、操作装置１１Ａを動作可能であれば２次電池でなくバックアップ用電解コンデンサ等でも良い。
【００５１】
（実施の形態４）
図７および図８に示すように、エリア１およびエリア２の換気と浴室３の換気を行う浴室換気装置４Ｄが浴室３に設置されている。また、エリア１およびエリア２には浴室換気装置４Ｄの換気運転を行うための換気運転操作装置１９Ａ、１９Ｂが備えられ、前記換気運転操作装置１９Ａ、１９Ｂには操作装置１１Ｂと通信を行う２０Ａ、２０Ｂと換気運転操作装置１９Ａ、１９Ｂの動作に必要な電源を供給する駆動用電池２１Ａ、２１Ｂが備えられている。また、浴室換気装置４Ｄの運転操作を行う操作装置１１Ｂが浴室３に備えられており、この操作装置１１Ｂは、浴室換気装置４Ｄの制御装置５Ｄと接続され、通信することで操作装置１１Ｂから浴室換気装置４Ｄの運転を行うことになる。また、操作装置１１Ｂには電池１３と、制御装置５Ｄとの通信時に電池１３に充電を行う充電装置１４が備えられ、電池１３により操作装置１１Ｂが動作し、換気運転操作装置１９Ａ、１９Ｂと無線通信可能な無線通信部２２を備え、換気運転操作装置１９Ａ、１９Ｂの状態通信を無線通信によって行い、浴室換気装置４Ｄと制御装置５Ｄへの商用電源６の供給を寸動にて商用電源６を供給する始動スイッチ２３と、制御装置５Ｄにより開閉される開閉装置７が並列に接続されている。
【００５２】
そして、換気運転操作装置１９Ａ、１９Ｂが操作され、換気運転を行う信号が無線送信部２０Ａ、２０Ｂから送信され、操作装置１１Ｂの無線通信部２２がその信号を受信すると、操作装置１１Ｂから始動スイッチ２３を閉とする信号を出力し、商用電源６を制御装置５Ｄに通電することで制御装置５Ｄが動作を開始すると同時に制御装置５Ｄは開閉装置７を閉とし、始動スイッチ２３が開となっても商用電源６の通電を継続することになる。
【００５３】
また、操作装置１１Ｂから制御装置５Ｄには通信によって操作装置１１Ｂからの運転信号を受信し、浴室換気装置４Ｄは換気運転を開始することになる。
【００５４】
また、実施の形態３同様に浴室換気装置４Ｄ停止時の操作装置１１Ｂの動作用電源として利用できるように、制御装置５Ｄとの通信による電力を利用して操作装置１１Ｂは充電装置１４を介して電池１３に充電を行う。
【００５５】
そして、操作装置１１Ｂからの運転停止命令または、換気運転操作装置１９Ａ、１９Ｂからの停止信号を操作装置１１Ｂが受信し、全てが運転停止信号になると、操作装置１１Ｂは始動スイッチ２３を開とする信号を出力すると同時に、制御装置５Ｄに停止信号を送信し、浴室換気装置４Ｄを停止させる。そして、制御装置５Ｄは浴室換気装置４Ｄの運転が停止してから、一定時間経過後、開閉装置７を開とする信号を出力し、開閉装置７により商用電源６の通電を遮断する。
【００５６】
このような構成によれば、２次電池と浴室換気装置の制御部との通信時に２次電池に充電を行う充電装置と、無線通信手段を設けた操作装置と、浴室以外の複数のエリアに設け、内蔵した駆動用電池を電源として前記操作装置と無線通信を行う無線通信送信手段を備えた換気運転操作装置と、前記操作装置から浴室換気装置に入力される商用電源を寸動にて商用電源を供給する始動スイッチと、商用電源通電後に浴室換気乾燥機内の制御部により制御され、商用電源を開閉する開閉装置を備えた構成したことにより、操作装置は電池にて、換気運転操作装置は駆動用電池により動作するため、電気的な接続が不要となり、容易に施工ができ、操作装置から、浴室換気装置に供給される商用電源を遮断できるので、浴室換気装置が停止状態である場合の電力の消費を低減することができる。
【００５７】
なお、実施の形態において開閉装置７は、実施の形態１同様に、リレーを使用ものやトライアックやサイリスタを使用した半導体スイッチがある。
【００５８】
また、始動スイッチ２３は開閉装置７同様に、リレーを使用ものやトライアックやサイリスタを使用した半導体スイッチがある。
【００５９】
また、浴室換気装置４Ｄの運転が停止してから一定時間経過後に開閉装置７を開としたが、制御装置５Ｄやモーターを保護する必要がなければ停止後すぐに開閉装置７を開としても良い。
【００６０】
また、換気運転操作装置１９Ａ、１９Ｂから送信する無線通信は、電波を利用しても赤外線を利用しても換気運転操作装置１９Ａ、１９Ｂから送信する信号を操作装置１１Ｂの無線通信部２２が受信できればいずれでも良い。
【００６１】
また、電池１３は充電可能な２次電池があるが、操作装置１１Ｂを動作可能であれば２次電池でなくバックアップ用電解コンデンサでも良い。
【産業上の利用可能性】
【００６２】
本発明にかかる浴室換気装置は、停止時の待機電力を低減することを可能とするもので、機器から離れた場所からの複数の入力を常時監視するために常時電源供給が必要な空気調和機や換気システム等の待機電力削減として有用である。
【符号の説明】
【００６３】
１      エリア
２      エリア
３      浴室
４Ａ    浴室換気装置
４Ｂ    浴室換気装置
４Ｃ    浴室換気装置
４Ｄ    浴室換気装置
５Ａ    制御装置
５Ｂ    制御装置
５Ｃ    制御装置
５Ｄ    制御装置
６      商用電源
７      開閉装置
８      始動スイッチ
９Ａ    換気スイッチ
９Ｂ    換気スイッチ
９Ｃ    換気スイッチ
９Ｄ    換気スイッチ
９Ｅ    換気スイッチ
９Ｆ    換気スイッチ
１０Ａ  換気スイッチ入力部
１０Ｂ  換気スイッチ入力部
１１Ａ  操作装置
１１Ｂ  操作装置
１２    通信部
１３    電池
１４    充電装置
１５    状態設定手段
１６    検出部
１７    始動スイッチ
１８    駆動部
１９Ａ  換気運転操作装置
１９Ｂ  換気運転操作装置
２０Ａ  無線送信部
２０Ｂ  無線送信部
２１Ａ  駆動用電池
２１Ｂ  駆動用電池
２２    無線通信部
２３    始動スイッチ
【図１】
2011089655.tif 000003
【図２】
2011089655.tif 000004
【図３】
2011089655.tif 000005
【図４】
2011089655.tif 000006
【図５】
2011089655.tif 000007
【図６】
2011089655.tif 000008
【図７】
2011089655.tif 000009
【図８】
2011089655.tif 000010
【図９】
2011089655.tif 000011